(57)【要約】【課題】送信するデータの種類や動作条件などにより、送信レートを動的に変更することで、無線リソースを節約し、消費電力を低減可能なデータ送信装置、データ出力装置およびデータ伝送システムを提供する。【解決手段】データ伝送システムは、データ送信装置とデータ出力装置とを有する。データ送信装置は、データの種別及び装置の動作条件、あるいはデータのフレーム間の動き量に基づいた送信レートでデータを無線通信で送信する。また、データ出力装置は、データ送信装置から送信された映像データを無線通信により受信し、受信した映像データを表示する。【選択図】図３
2010171670.tif 000002
【特許請求の範囲】
【請求項１】
データを無線通信で送信する無線送信手段と、
データの種別及び前記データ送信装置の動作条件と、前記無線送信手段により送信する送信レートとを対応付けて記憶する記憶手段と、
データを送信する場合に、前記データの種別及び前記データ送信装置の動作条件に対応する送信レートを前記記憶手段により読み出し、読み出された送信レートで前記データを送信するように無線送信手段を制御する制御手段と、
を備えることを特徴とするデータ送信装置。
【請求項２】
前記データ送信装置は、デジタル放送波を受信するデジタル放送受信手段を備え、  前記無線送信手段は、前記デジタル放送受信手段により受信したデジタル放送波に含まれるデータを送信することを特徴とする請求項１に記載のデータ送信装置。
【請求項３】
請求項２に記載のデータ送信装置は、前記デジタル放送受信手段により受信したデジタル放送波に含まれるデータをデコードするデコード手段を備え、
前記無線送信手段は、前記デコード手段によりデコードされたデータを送信することを特徴とするデータ送信装置。
【請求項４】
前記データ送信装置は、記憶媒体に記憶されたデータを読み出す読出手段を備え、
前記無線送信手段は、前記読出手段により記憶媒体から読み出されたデータを送信することを特徴とする請求項１に記載のデータ送信装置。
【請求項５】
デジタル放送波を受信するデジタル放送受信手段と、
前記デジタル放送受信手段により受信したデジタル放送波に含まれるデータをデコードするデコード手段と、
前記デコード手段によりデコードされたデータを無線通信で送信する無線送信手段と、
前記デコード手段によりデコードされたデータのフレーム間の動き量に基づいて、前記無線送信手段により送信する送信レートを設定し、前記設定した送信レートで前記デコード手段によりデコードされたデータを送信するように無線送信手段を制御する制御手段と、
を備えることを特徴とするデータ送信装置。
【請求項６】
データ送信装置であって、
記憶媒体に記憶されたデータを読み出す読出手段と、
前記読出手段により読み出されたデータをデコードするデコード手段と、
前記デコード手段によりデコードされたデータを無線通信で送信する無線送信手段と、
前記デコード手段によりデコードされたデータのフレーム間の動き量に基づいて、前記無線送信手段により送信する送信レートを設定し、前記設定した送信レートで前記デコード手段によりデコードされたデータを送信するように無線送信手段を制御する制御手段と、
を備えることを特徴とするデータ送信装置。
【請求項７】
前記制御部は、前記送信レートに対応させて前記無線送信手段を間欠動作させるように制御することを特徴とする請求項１ないし６のいずれかに記載のデータ送信装置。
【請求項８】
前記データ送信装置は、データを有線通信で送信する有線送信手段を備えていることを特徴とする請求項１ないし７のいずれかに記載のデータ送信装置。
【請求項９】
データ送信装置から送信されたデータを無線通信により受信する無線受信手段と、
前記無線受信手段により受信したデータを出力する出力手段と、
前記無線受信手段により受信したデータのフレームレートに応じて、前記無線受信手段を間欠動作させるように制御する制御手段と、
を備えていることを特徴とするデータ出力装置。
【請求項１０】
前記出力手段は映像データを表示する表示手段であり、前記表示手段は前記無線受信手段により受信したデータを、受信したデータのフレームレートに関わらず所定のリフレッシュレートで表示することを特徴とする請求項９に記載のデータ出力装置。
【請求項１１】
データ送信装置とデータ出力装置とを有するデータ伝送システムであって、
前記データ送信装置は、データを無線通信で送信する無線送信手段と、データの種別及び前記データ送信装置の動作条件と前記無線送信手段により送信する送信レートとを対応付けて記憶する記憶手段と、データの送信が指示されたとき、前記送信が指示されたデータの種別及び前記データ送信装置の動作条件に対応する送信レートを前記記憶手段により読み出し、読み出された送信レートで前記送信が指示されたデータを送信するように無線送信手段を制御する制御手段と、を備え、
前記データ出力装置は、前記データ送信装置から送信されたデータを無線通信により受信する無線受信手段と、前記無線受信手段により受信したデータを出力する出力手段と、を備えることを特徴とするデータ伝送システム。
【請求項１２】
データ送信装置とデータ出力装置とを有するデータ伝送システムであって、
前記データ送信装置は、デジタル放送波を受信するデジタル放送受信手段と、前記デジタル放送受信手段により受信したデジタル放送波に含まれる映像データをデコードするデコード手段と、前記デコード手段によりデコードされた映像データを無線通信で送信する無線送信手段と、前記デコード手段によりデコードされた映像データのフレーム間の動き量に基づいて、前記無線送信手段により送信する送信フレームレートを設定し、前記設定した送信フレームレートで前記デコード手段によりデコードされた映像データを送信するように無線送信手段を制御する制御手段と、を備え、
前記データ出力装置は、前記データ送信装置から送信された映像データを無線通信により受信する無線受信手段と、前記無線受信手段により受信した映像データを表示する表示手段と、を備えることを特徴とするデータ伝送システム。
【発明の詳細な説明】
【技術分野】
【０００１】
本願発明は、データ送信装置、データ出力装置およびデータ伝送システムに関する。
【背景技術】
【０００２】
近年、デジタルテレビの普及と共に、映像コンテンツの高解像度（ＨＤ）化が進んでいる。これに伴い、テレビ、レコーダ、ビデオカメラ、ディスプレイなどの機器にＨＤＭＩ（Ｈｉｇｈ―Ｄｅｆｉｎｉｔｉｏｎ  Ｍｕｌｔｉｍｅｄｉａ  Ｉｎｔｅｒｆａｃｅ）（登録商標）のような映像入出力インタフェースが搭載されることが一般的となっている。ＨＤＭＩのような映像入出力インタフェースでは、静止画像、動画像の関係なく、常に動画像フォーマットで伝送する。そのため、静止画像を伝送する場合であっても、同じ静止画像データを繰り返し伝送することで消費電力の無駄が大きいという問題がある。
【０００３】
特許文献１には、消費電力を低減するために、画像転送要求コマンドを受信すると、必要な静止画像データを伝送し、次の画像転送要求コマンドを受信するまでＨＤＭＩによる静止画像伝送処理を一時的に停止することが開示されている。
【０００４】
【特許文献１】特開２００８−１８７５３６号公報
【発明の開示】
【発明が解決しようとする課題】
【０００５】
無線伝送の場合には、有線伝送の場合に比べて消費電力が大きいため、さらに細やかな省電力制御が求められる。また、動画像と静止画像という区別だけでなく、動画像の中にも動きの激しい動画像と、動きの少ない、すなわち、画面更新頻度の小さい動画像などがある。さらに、動画像を表示装置に表示させる場合にも、ユーザによっては、多少フレームレートを落としてでも低消費電力で動作することを優先させたい場合があると考えられる。そのため、データを無線伝送する際に、そのデータの種別や、低消費電力などの動作モードに応じて、送信フレームレートを制御する必要がある。
【０００６】
一方、特許文献１には、無線伝送を行う際に、データの種別や動作モードに応じて送信フレームレートを制御することについては、記載されていない。
【０００７】
本発明は、送信するデータの種類や動作条件などにより、送信レートを動的に変更することで、無線リソースを節約し、消費電力を低減可能なデータ送信装置、データ出力装置およびデータ伝送システムを提供することを目的とする。
【課題を解決するための手段】
【０００８】
本発明にかかるデータ伝送システムは、データ送信装置とデータ出力装置とを有する。データ送信装置は、データの種別及び装置の動作条件、あるいはデータのフレーム間の動き量に基づいた送信レートでデータを無線通信で送信する。また、データ出力装置は、データ送信装置から送信された映像データを無線通信により受信し、受信した映像データを表示する。
【発明の効果】
【０００９】
本発明によれば、送信するデータの種類や動作条件などにより、送信レートを動的に変更することで、無線リソースを節約し、消費電力を低減可能なデータ送信装置、データ出力装置およびデータ伝送システムを提供することができる。
【発明を実施するための最良の形態】
【００１０】
図１は、テレビジョンシステムの構成例を示す図である。デジタル放送受信装置２００が、放送局１００が放送する放送波を受信し、表示装置３００に出力する。ここで、デジタル放送受信装置２００と表示装置３００とを合わせて、デジタルテレビジョン装置と称する。なお、図１の例では、リモコン４００からＯＮ／ＯＦＦや選局、ＥＰＧ表示などの指示信号をデジタル放送受信装置２００と表示装置３００共に受信可能である。そのため、例えばリモコン４００からのＯＮ／ＯＦＦ信号により、デジタル放送受信装置２００と表示装置３００とをＯＮ／ＯＦＦすることができる。但し、これに限定するものではなく、一方がリモコン４００からの信号を受信し、その指示をもう一方に通知するようにしても良い。
【００１１】
図２は、デジタル放送受信装置２００の構成例を示す図である。なお、図２の例では、信号の流れを線により示しているが、一部を省略して記載している。  チューナ部２０１は、放送局１００が送信する放送波を受信し、復調及び暗号化解除（デスクランブル）を行う。分離部２０２は、チューナ部２０１から出力されたＴＳ（Ｔｒａｎｓｐｏｒｔ  Ｓｔｒｅａｍ）パケットの中から、指定されたチャンネルや番組に関するものを抽出し、映像データ、音声データ、データ放送データ、字幕データなどに分離する。
【００１２】
映像デコード部２０３は、分離部２０２から出力された映像データのＴＳパケットを受信し、これをデコードして非圧縮映像データを生成し、生成された非圧縮映像データを出力する。なお、非圧縮映像データは放送されるコンテンツによって異なり、日本の地上デジタル放送の場合には通常は毎秒６０フレーム（６０ｆｐｓ）のフレームデータが出力される。この出力を、番組映像フレームデータと呼ぶ。
【００１３】
音声デコード部２０４は、分離部２０２から出力された音声データのＴＳパケットを受信し、これをデコードして非圧縮音声データを生成する。なお、図示しないが、デジタル放送受信装置２００は、他にデータ放送データや制御情報データなどのデータのデコード処理を行う機能を備える。
【００１４】
非番組画像生成部２０５は、放送波から取得した情報や、記憶部２１１に記憶された情報を用いて、電子番組表（ＥＰＧ）画面、番組情報画面、録画番組リスト画面、静止画スライドショー画面、メニュ画面などを表示するために、番組映像フレームデータ以外に非番組画像データを生成する。なお、非番組画像データには、静止画データだけでなく、アニメーションなどの動画像を含んだデータも含まれる。非番組画像バッファ２０６は、非番組画像生成部２０５により生成された非番組画像データを格納する。
【００１５】
画面合成部２０７は、映像デコード部２０３により生成された番組映像フレームデータと、非番組画像バッファ２０６に格納された非番組画像データの合成処理を行い、フレームバッファ２０８に格納する。このフレームデータを、合成映像フレームデータと呼ぶ。なお、画面合成部２０７は、所定の時間間隔で映像デコード部２０３及び非番組画像バッファ２０６からデータを取り込み、合成映像フレームデータを生成するようにしても良いし、番組映像フレームデータまたは非番組画像データの内容が更新されたタイミングで映像デコード部２０３及び非番組画像バッファ２０６からデータを取り込み、合成映像フレームデータを生成するようにしても良い。
【００１６】
なお、図２の構成例に追加して、デジタル放送受信装置２００に音声データ用バッファを設けるようにしても良い。
【００１７】
リモコン受信部２１２は、ユーザが操作するリモコン４００の送出信号を受信し、制御部２１３に通知する。制御部２１３は、ＣＰＵなどから構成され、デジタル放送受信装置２００の全体の制御を行う。
【００１８】
有線通信部２１０は、フレームバッファ２０８に格納された合成映像フレームデータと、音声デコード部２０４により生成された音声データを送信バッファ（図示せず）に取り込み、多重化、符号化や変調などの処理を施して、表示装置３００に送信する。また、有線通信部２１０は、表示装置３００の有線通信部３０２との間で制御メッセージの送受信を行う。なお、有線通信部２１０は、例えば、ＨＤＭＩ、Ｅｔｈｅｒｎｅｔ（登録商標）（登録商標）などの有線通信方式を利用する。
【００１９】
また、有線通信部２１０が送信する合成映像フレームデータの送信フレームレートは、有線通信部２１０が表示装置３００などの機器と接続されたことを認識した時に決定され、接続機器が変更されるまで同じ送信フレームレートで動作する。この場合、有線通信部２１０がフレームバッファ２０８から合成映像フレームデータを取り込むタイミングは、送信フレームレートに合わせて決められる。つまり、フレームバッファ２０８の更新タイミングに関わらず、送信フレームレートに合わせて、データが読み出される。例えば、６０ｆｐｓのフレームレートで送信する場合には、フレームバッファ２０８の内容が３０ｆｐｓでしか更新されなくても、６０ｆｐｓでデータがフレームバッファ２０８から読み出される。
【００２０】
無線通信部２０９は、フレームバッファ２０８に格納された合成映像フレームデータと、音声デコード部２０４により生成された音声データを送信バッファ（図示せず）に取り込み、時間情報付加、多重化、符号化、変調などの処理を施して、表示装置３００に無線送信する。また、無線通信部２０９は、表示装置３００の無線通信部３０１との間で制御メッセージの送受信を行う。なお、無線通信部２０９は、例えば無線ＬＡＮ、ＷＨＤＩ（登録商標）、ＷｉｒｅｌｅｓｓＨＤ、ＵＷＢなどの無線通信方式を利用する。
【００２１】
また、無線通信部２０９は、通信部内に備えた受信部や送信部に常に電源を供給する通常動作モードと、受信部や送信部への電源供給を間欠的に行う省電力動作モードを備え、ユーザ設定により自由に切り替えることができる。なお、デジタル放送受信装置２００あるいは表示装置３００がバッテリにより駆動される場合には、そのバッテリの残量に応じて自動的にモードが切り替えられるように設定できるようにすることが望ましい。
【００２２】
また、無線通信部２０９の送信フレームレートは、後述のように、データの種別や動作モードに応じて動的に変更される。なお、無線通信部２０９がフレームバッファ２０８から合成映像フレームデータを取り込むタイミングは、送信フレームレートに合わせて決められる。
【００２３】
記憶部２１１は、例えばＲＡＭ、ＲＯＭ、ＨＤＤなどの記録媒体を備え、動作モード情報２１１ａや送信フレームレート管理テーブル２１１ｂなど、デジタル放送受信装置２００に関する設定情報や、ユーザ情報などを格納する。なお、記憶部２１１に用いられる記録媒体の全てまたは一部は着脱可能なものであっても良い。
【００２４】
動作モード情報２１１ａは、例えば、通常モードや省電力モードなど、デジタル放送受信装置２００の動作モードを示す情報である。なお、省電力モードとは、無線通信部２０９の送信フレームレートを通常モード時よりも下げることで、デジタル放送受信装置２００の消費電力を低減させることができる動作モードである。
【００２５】
ここで図３に、送信フレームレート管理テーブル２１１ｂのデータ構造の一例を示す。送信フレームレート管理テーブル２１１ｂには、送信フレームレート２１１ｂ―３が、画像種別２１１ｂ―１や動作モード２１１ｂ―２などの情報と対応付けられて記憶されている。画像種別２１１ｂ―１は、例えば、通常の番組映像、電子番組表、電子番組表に含まれる１つの番組について情報を示す番組情報、チャンネル番号や番組名などの簡易番組情報など、デジタル放送受信装置２００が生成可能な画像種別を表す。なお、図３の例では、番組情報の中に、文字情報のみで構成されるものと、サムネイルなどの映像を含んでいるものがある場合を示している。
【００２６】
動作モード２１１ｂ―２は、例えば、通常モードと省電力モードなど、デジタル放送受信装置２００の動作モードを示す。送信フレームレート２１１ｂ―３は、画像種別２１１ｂ―１及び動作モード２１１ｂ―２の組み合わせにおいて、無線通信部２０９が合成映像フレームデータを表示装置３００に対して送信する時の１秒当たりのフレーム数を表す。ここで、「０ｆｐｓ」とは、同じ画像データを１回しか送信しないことを意味する。
【００２７】
図４は、表示装置３００の構成例を示す図である。なお、図４の例では、信号の流れを線により示しているが、一部を省略している。
【００２８】
有線通信部３０２は、デジタル放送受信装置２００の有線通信部２１０から送信された信号を受信し、復調、復号化などの処理を施し、合成映像フレームデータと音声データを取り出す。また、デジタル放送受信装置２００の有線通信部２１０との間で制御メッセージの送受信を行う。なお、有線通信部３０２は、例えばＨＤＭＩ、Ｅｔｈｅｒｎｅｔ（登録商標）などの有線通信方式を用いる。
【００２９】
無線通信部３０１は、デジタル放送受信装置２００の無線通信部２０９から送信された信号を受信し、復調、復号化などの処理を施し、合成映像フレームデータと音声データを取り出す。また、デジタル放送受信装置２００の無線通信部２０９との間で制御メッセージの送受信を行う。無線通信部３０１は、例えば無線ＬＡＮ、ＷＨＤＩ、ＷｉｒｅｌｅｓｓＨＤ、ＵＷＢなどの無線通信方式を用いる。なお、無線通信部２０９と同様に、通常動作モードと省電力動作モードを備え、自由に切り替えることができることが望ましい。
【００３０】
有線通信部３０２あるいは無線通信部３０１により取り出された合成映像フレームデータは、付加された時間情報や制御メッセージの内容に従ったタイミングで、フレームバッファ３０３に書き込まれる。例えば、合成映像フレームデータを６０ｆｐｓで受信した場合には、フレームバッファ３０３にも６０ｆｐｓで書き込む。また、音声データは音声出力部３０６に出力される。
【００３１】
高画質化処理部３０４は、フレームバッファ３０３から合成映像フレームデータを読み出し、ガンマ補正、彩度補正、フレームレート変換などの処理を行う。処理されたデータは表示部３０５に出力され、表示される。表示部３０５は、例えば液晶ディスプレイ、プラズマパネルディスプレイ、有機ＥＬディスプレイなどにより構成され、通常は所定の描画レート（リフレッシュレート）で表示処理を行う。
【００３２】
なお、高画質化処理部３０４がフレームバッファ３０３から合成映像フレームデータを読み出すタイミングは、有線通信部３０２及び無線通信部３０１が合成映像フレームデータをフレームバッファ３０３に書き込むタイミングに関わらず一定である。例えば、無線通信に異常（パケットロスなど）が発生してフレームバッファ３０３の内容が更新されない場合でも、高画質化処理部３０４はフレームバッファ３０３から通常どおりのタイミングで合成映像フレームデータを読み出す。また、無線通信部２１０が送信フレームレートを動的に変更した場合でも、高画質化処理部３０４はフレームバッファ３０３から一定のタイミングで合成映像フレームデータを読み出す。
【００３３】
音声出力部３０６は、スピーカなどを備え、入力された音声データを再生して出力する。記憶部３０７は、表示装置３００に関する設定情報や、ユーザ情報などを格納する。リモコン受信部３０８は、ユーザが操作するリモコン４００の送出信号を受信し、制御部３０９に通知する。制御部３０９は、ＣＰＵなどから構成され、表示装置３００の全体の制御を行う。
【００３４】
図５および図６は、デジタル放送受信装置２００の動作シーケンスの一例を示す図である。また、図７および図８は、表示装置３００の動作シーケンスの一例を示す図である。
【００３５】
まず、図５を用いて、デジタル放送受信装置２００の動作シーケンスについて説明する。
【００３６】
デジタル放送受信装置２００の制御部２１３は、電源ＯＮ指示を待つ（Ｓ１０）。ユーザがリモコン４００などを使った電源ＯＮ操作を行い、デジタル放送受信装置２００のリモコン受信部２１２が電源ＯＮ指示を受信すると（Ｓ１０；Ｙｅｓ）、制御部２１３は各機能ブロックの初期化処理を行う（Ｓ１１）。初期化処理では、例えば各回路への電源供給や、記憶部２１１からデータの読み出し、各モジュールへの初期パラメータ設定などを行う。
【００３７】
なお、図５の例では、リモコン４００からの信号によりデジタル放送受信装置２００と表示装置３００が一度に電源ＯＮされる場合を想定しているが、例えば、デジタル放送受信装置２００と表示装置３００が離れて設置されているなど、リモコン４００からの信号を表示装置３００が受信できない状況があり得るため、Ｓ１１の初期化処理において、表示装置３００の電源ＯＮになっているか否かの確認処理を行うことが望ましい。また、デジタル放送受信装置２００にリモコン送信部を備え、デジタル放送受信装置２００がリモコン４００からの信号を受信すると、その指示を表示装置３００に送信するように構成した場合には、Ｓ１１の初期化処理において、電源ＯＮ指示を表示装置３００に送信する。
【００３８】
次に、制御部２１３は、デジタル放送受信装置２００と表示装置３００とが有線接続されているか否かの判定を行う（Ｓ１２）。例えば、有線通信部２１０において、所定端子の電圧レベルや電流値などをモニタすることで判定を行う。
【００３９】
デジタル放送受信装置２００と表示装置３００とが有線接続されていると判定されると（Ｓ１２；Ｙｅｓ）、制御部２１３は、有線通信部２１０を介して送信する合成映像フレームデータの解像度やフレームレートなどについて、表示装置３００とネゴシエーションを行い、必要な動作パラメータを設定する。例えば、動作パラメータの１つとして、有線通信部２１０の送信フレームレートのパラメータを有線通信のデフォルト値であるＲ２に設定する（Ｓ１３）。ここで、日本の地上デジタル放送用システムの場合、Ｒ２は例えば６０ｆｐｓである。また、動作パラメータの設定と合わせて、無線通信部２０９への電源供給を停止または低減したり、フレームバッファ２０８へのアクセス権を有線通信部２１０に割り当てたりする。
【００４０】
デジタル放送受信装置２００と表示装置３００とが有線接続されていないと判定されると（Ｓ１２；Ｎｏ）、制御部２１３は、表示装置３００とネゴシエーションを行い、無線通信部２０９の動作パラメータを設定する。例えば、無線通信部２０９の送信フレームレートを、有線通信と同様にＲ２に設定する（Ｓ１４）。なお、動作パラメータの設定と合わせて、有線通信部２１０への電源供給を停止または低減したり、フレームバッファ２０８へのアクセス権を無線通信部２０９に割り当てたりする。なお、S１４における送信フレームレートの設定を省略し、後述するＳ３４において初めて設定するようにしても良い。
【００４１】
Ｓ１３の後、制御部２１３は、チューナ部２０１、分離部２０２、映像デコード部２０３、音声デコード部２０４などを起動して、選局されたチャンネルの放送データの受信処理およびデコード処理を開始するよう指示を出す（Ｓ１５）。起動直後に選局されるチャンネルは、例えば前回電源をＯＦＦする直前に選局していたチャンネルであっても良いし、ユーザにより事前に設定された所定のチャンネルであっても良い。
【００４２】
次に、制御部２１３は、非番組画像生成部２０５に対して、選局されたチャンネルの番号や、そのチャンネルで放送されている番組の番組名などの簡易番組情報を表示装置３００に表示するための非番組画像データを生成するよう指示を出す（Ｓ１６）。ここで生成される非番組画像データは、例えば、静止画プレーン、文字図形プレーン、動画静止画切替プレーンなどから構成される。
【００４３】
なお、例えば、１日分や１週間分といった所定期間の電子番組表（ＥＰＧ）データを記憶部２１１に保持し、この電子番組表データの中から必要な情報を抽出し、非番組画像データを生成する。例えば、Ｓ１６における非番組画像データの生成では、電子番組表データの中から現在時刻情報などを用いて抽出されたチャンネル番号及び番組名を示すデータが用いられる。また、電子番組表データは、チューナ部２０１を用いて放送波により受信するようにしても良いし、インターネットなどのネットワークへの接続手段を用いて、ネットワーク上のサーバから通信により取得するようにしても良い。
【００４４】
生成された非番組画像データは、画面合成部２０７で画面合成処理が行われるが、この時点では映像デコード部２０３から番組映像フレームデータが出力されていないので、合成映像フレームデータは非番組画像データである。制御部２１３は、このデータを有線通信部２１０から送信させる（Ｓ１７）。これにより、チャンネル番号及び番組名が表示部３０５に表示される。なお、チャンネル番組及び番組名は一例であり、例えば、簡易番組情報としてチャンネル番号のみを表示するようにしても良いし、それ以外の情報を表示するようにしても良い。
【００４５】
その後、制御部２１３は、映像デコード部２０３から番組映像フレームデータが出力されるのを待つ（Ｓ１８）。映像デコード部２０３から番組映像フレームデータが出力されると（Ｓ１８；Ｙｅｓ）、画面合成部２０７にて番組映像フレームデータと非番組画像データとが合成される。制御部２１３は、合成映像フレームデータを有線通信部２１０から送信させる（Ｓ１９）。これにより、番組映像とともにチャネル番号等が表示部３０５に表示される。
【００４６】
所定時間経過すると、非番組画像バッファ２０６に保持された非番組画像データをクリアし（Ｓ２０）、指示待ち状態となる（Ｓ２１）。これにより、チャネル番号等の表示は消え、番組映像のみが表示部３０５に表示される。
【００４７】
指示待ち状態（Ｓ２１）において、デジタル放送受信装置２００のリモコン受信部２１２がリモコン４００から送信された電子番組表の表示指示を受信すると、制御部２１３は、非番組画像生成部２０５に対して、非番組画像データの生成を指示する（Ｓ２２）。
【００４８】
非番組画像データが生成されると、制御部２１３は、合成映像フレームデータを有線通信部２１０から送信させる（Ｓ２３）。なお、電子番組表の表示指示を受信した場合に、合成映像フレームデータとして、非番組画像データのみを送信するようにしても良いし、番組映像フレームデータと非番組画像データを送信するようにしても良い。
【００４９】
番組映像フレームデータを送信しない場合には、映像デコード処理は不要であるため、映像デコード部２０３やチューナ部２０１、分離部２０２などの動作を一時停止することにより消費電力を低減することができる。但し、番組映像フレームデータの送信を再開するまでの時間を短縮させるためには、チューナ部２０１や分離部２０２を一時停止しないことが望ましい。
【００５０】
また、Ｓ２１において、デジタル放送受信装置２００のリモコン受信部２１２が選局指示を受信すると、制御部２１３は、チューナ部２０１、分離部２０２、映像デコード部２０３、音声デコード部２０４に対して、選局されたチャンネルの放送データの受信処理、デコード処理を開始するよう指示を出す。また、選局されたチャンネルの番号表示や、選局されたチャンネルで放送されている番組の番組名表示などの非番組画像データを生成するよう指示を出す。これに関する一連の処理は、Ｓ１５〜Ｓ２０の処理と同様である。
【００５１】
なお、Ｓ１７、Ｓ１９、Ｓ２３におけるデータ送信する際、有線通信部２１０からは、合成映像フレームデータが静止画像か動画像かによらず、また、動画像のフレームレートによらず、Ｓ１３で設定した一定の送信フレームレートで送信される。
【００５２】
なお、Ｓ２１において、電源ＯＦＦ指示など、上記以外の指示を受信する場合があるが、その場合の動作については説明を省略する。
【００５３】
次に、図５に示したデジタル放送受信装置２００の動作に対応する表示装置３００の動作シーケンスを図７を用いて説明する。
【００５４】
表示装置３００の制御部３０９は、電源ＯＮ指示を待つ（Ｓ１０１）。リモコン４００またはデジタル放送受信装置２００から表示装置３００のリモコン受信部３０８が電源ＯＮ指示を受信すると（Ｓ１０１；Ｙｅｓ）、制御部３０９は各機能ブロックの初期化処理を行う（Ｓ１０２）。初期化処理では、各回路への電源供給や、記憶部からデータの読み出し、各モジュールへの初期パラメータ設定などを行う。
【００５５】
次に、制御部３０９は、デジタル放送受信装置２００と表示装置３００とが有線接続されているか否かの判定を行う（Ｓ１０３）。なお、図５及び図７の例では、放送受信装置２００あるいは表示装置３００の双方の装置で判定を行っているが、これに限定するものではなく、いずれか一方で判定を行い、もう一方の装置に判定結果を送信するようにしても良い。
【００５６】
デジタル放送受信装置２００と表示装置３００とが有線接続されていると判定されると（Ｓ１０３；Ｙｅｓ）、制御部３０９は、有線通信部３０２を介して受信する合成映像フレームデータの解像度やフレームレートについて、デジタル放送受信装置２００とネゴシエーションを行い、必要な動作パラメータを設定する。例えば、有線通信部３０２からフレームバッファ３０３への書き込みレートをＲ２に設定する（Ｓ１０４）。なお、有線接続であると判定された場合、無線通信部３０１への電源供給を停止または低減したり、フレームバッファ３０３へのアクセス権を有線通信部３０２に割り当てたりすることが望ましい。
【００５７】
デジタル放送受信装置２００と表示装置３００とが有線接続されていないと判定されると（Ｓ１０３；Ｎｏ）、制御部３０９は、無線通信部３０１に対して、デジタル放送受信装置２００とネゴシエーションを行い、動作パラメータを設定するなど、デジタル放送受信装置２００との間の無線通信リンクを確立する処理を行う。例えば、無線通信部３０１からフレームバッファ３０３への書き込みレートをＲ２に設定する（Ｓ１０５）。なお、Ｓ１０５の時点ではデータを受信していないため、Ｒ２はデフォルト値として設定するものであり、他の値を設定しても良い。また、有線通信部３０２への電源供給を停止または低減したり、フレームバッファ３０３へのアクセス権を無線通信部３０１に割り当てたりすることが望ましい。
【００５８】
Ｓ１０４あるいはＳ１０５において書き込みレートを設定することにより、設定値に合わせて、使用するフレームバッファサイズもしくは個数を変えることができ、メモリリソースを効率的に使用することができる。但し、処理を簡略化するために、Ｓ１０４あるいはＳ１０５における書き込みレートの設定を省略するようにしても良い。
【００５９】
Ｓ１０４の後、制御部３０９は、有線通信部３０２により合成映像フレームデータを受信したかどうかを判定する（Ｓ１０６）。合成映像フレームデータを受信すると（Ｓ１０６；Ｙｅｓ）、制御部３０９は、このデータを表示するよう高画質化処理部３０４及び表示部３０５を制御し（Ｓ１０７）、次の指示待ち状態となる（Ｓ１０８）。なお、Ｓ１０７において、デジタル放送受信装置２００から送信された合成映像フレームデータに応じて、チャネル番号及び番組名などの簡易番組情報のみ、番組映像及び簡易番組情報、あるいは番組映像のみが表示部３０５に表示される。
【００６０】
指示待ち状態（Ｓ１０８）において、表示装置３００のリモコン受信部３０８が表示や選局の指示を受信すると、制御部３０９は、有線通信部３０２にて合成映像フレームデータを受信するのを待つ（Ｓ１０９）。合成映像フレームデータを受信すると（Ｓ１０９；Ｙｅｓ）、制御部３０９は、このデータを表示するよう高画質化処理部３０４及び表示部３０５を制御し（Ｓ１１０）、次の指示待ち状態となる（Ｓ１０８）。
【００６１】
なお、Ｓ１０８においては、他に電源ＯＦＦ指示など、電子番組表の表示指示や選局指示以外の指示を受信する場合があるが、その場合の動作については説明を省略する。
【００６２】
次に、図６を用いて、デジタル放送受信装置２００で無線通信を行う場合の動作シーケンスについて説明する。図５を用いて説明したように、有線通信で合成映像フレームデータを伝送する場合には、最初に決定した一定の送信フレームレートで送信するが、無線通信において同様の制御を行うと、静止画像や動きの少ない動画像を伝送する際に消費電力の無駄が大きくなってしまう。そこで、無線通信を行う場合には、送信する映像データの種類や動作条件によって、送信フレームレートを動的に変更することで、無線リソースを節約し、消費電力を低減する。
【００６３】
図５のＳ１４の後、制御部２１３は、チューナ部２０１、分離部２０２、映像デコード部２０３、音声デコード部２０４などを起動して、選局されたチャンネルの放送データの受信処理、デコード処理を開始するように制御する（Ｓ３１）。これはＳ１５と同じ処理である。
【００６４】
次に、制御部２１３は、記憶部２１１に格納された動作モード情報２１１ａと、送信フレームレート管理テーブル２１１ｂとを読み出す（Ｓ３２、Ｓ３３）。制御部２１３は、動作モード情報２１１ａと、送信フレームレート管理テーブル２１１ｂとを参照し、無線通信部２０９の送信フレームレートをＲ１に設定する（Ｓ３４）。
【００６５】
具体的には、電源ＯＮ直後は映像デコード部２０３から番組映像フレームデータが出力されないため、Ｓ３４においては、送信する画像の種別はチャンネル番号や番組名などの簡易番組情報であるとし、動作モードが通常モードか省電力モードかに応じて、送信フレームレート管理テーブル２１１ｂから対応する送信フレームレートを読み出すことにより、Ｒ１を決定する。動作モード情報２１１ａが「通常モード」であるとすると、図３の例では、Ｒ１＝１ｆｐｓとなる。
【００６６】
なお、送信フレームレート管理テーブル２１１ｂの送信フレームレートを設定する際に、Ｒ１は、有線通信の送信フレームレートＲ２よりも小さくなるように、設定することが望ましい。Ｒ１＜Ｒ２となるように送信フレームレート管理テーブル２１１ｂを作成し、Ｓ３４で無線通信部２０９の送信フレームレートをＲ１に設定することで、後述のＳ３６の送信処理において、Ｒ２固定の送信フレームレートで送信する場合に比べて、無線通信部２０９が送信するデータ量を減らし、消費電力を低減することができる。なお、簡易番組情報は、静止画像もしくは動きの少ない動画像であるため、送信フレームレートを低く設定したとしても画質はほとんど低下しない。
【００６７】
次に、制御部２１３は、非番組画像生成部２０５に対して、簡易番組情報を表示装置３００に表示するために非番組画像データを生成するよう制御する（Ｓ３５）。これはＳ１６と同じ処理である。さらに、制御部２１３は、このデータを無線通信部２０９から送信フレームレートR１で送信させる（Ｓ３６）。
【００６８】
その後、制御部２１３は、映像デコード部２０３から番組映像フレームデータが出力されたかどうかを判定する（Ｓ３７）。映像デコード部２０３から番組映像フレームデータが出力されると（Ｓ３７；Ｙｅｓ）、制御部２１３は、画像種別が番組映像であり、動作モード情報２１１ａに対応する送信フレームレートを送信フレームレート管理テーブル２１１ｂから読み出し、無線通信部２０９の送信フレームレートをＲ３に設定する（Ｓ３８）。
【００６９】
図３の例では、動作モード情報２１１ａが「通常モード」である場合、Ｒ３＝６０ｆｐｓ＝Ｒ２となる。なお、動作条件として「通常モード」が設定されている場合には、消費電力よりも画質を重視しているため、有線通信で合成映像フレームデータを伝送する場合と同じ画質で表示できるように、Ｒ３＝Ｒ２となるように送信フレームレート管理テーブル２１１ｂに送信フレームレートを設定することが望ましい。なお、動作モード情報２１１ａが「省電力モード」の場合には、Ｒ３＝３０ｆｐｓとなり、「通常モード」に比べて画質は低下するが、無線通信部２０９が送信するデータ量が減るために消費電力を低減することができる。なお、映像デコード部２０３でデコードするフレーム数を毎秒３０枚に間引いてデコードしても良い。この場合、映像デコード部２０３と無線通信部２０９の双方での消費電力を低減することができ、省電力効果を大きくすることができる。
【００７０】
Ｓ３８の後、制御部２１３は、画面合成部２０７により番組映像フレームデータと非番組画像データとを合成し、合成映像フレームデータを無線通信部２０９から送信させる（Ｓ３９）。
【００７１】
その後所定時間経過したら、非番組画像バッファ２０６に保持された非番組画像データをクリアする（Ｓ４０）。これにより、番組映像フレームデータのみが合成映像フレームデータとして送信されることになる。  指示待ち状態（Ｓ４１）において、デジタル放送受信装置２００のリモコン受信部２１２が電子番組表の表示指示を受信すると、制御部２１３は、記憶部２１１に格納された動作モード情報２１１ａと送信フレームレート管理テーブル２１１ｂを読み出す（Ｓ４２、Ｓ４３）。これはＳ３２、Ｓ３３と同じ処理である。
【００７２】
続いて、制御部２１３は、動作モード情報２１１ａと送信フレームレート管理テーブル２１１ｂとを参照し、無線通信部２０９の送信フレームレートをＲ４に設定する（Ｓ４４）。図３の例では、動作モード情報２１１ａが「通常モード」である場合には、Ｒ４＝１ｆｐｓとなる。なお、Ｒ４＜Ｒ２となるように送信フレームレート管理テーブル２１１ｂを設定することで、有線通信のように送信フレームレートＲ２で送信する場合に比べて、無線通信部２０９が送信するデータ量が減るために、消費電力を低減することができる。なお、電子番組表は、静止画像もしくは動きの少ない動画像であるため、送信フレームレートを低く設定したとしても画質はほとんど低下しない。なお、図３の例では、Ｒ４＝Ｒ１となっているが、これに限定するものではなく、簡易番組情報に比べて電子番組表のデータ量が多い場合には、Ｒ４＞Ｒ１となるように設定するようにすることが望ましい。
【００７３】
次に、制御部２１３は、非番組画像生成部２０５に対して、非番組画像データとして電子番組表表示画面データを生成するよう指示を出す（Ｓ４５）。非番組画像データが生成されたら、制御部２１３は、合成映像フレームデータを無線通信部２０９から送信させる（Ｓ４６）。この時点では、合成映像フレームデータには、非番組画像データのみが含まれており、番組映像フレームデータは含まれていない。
【００７４】
一方、指示待ち状態（Ｓ４１）において、リモコン受信部２１２が選局指示を受信すると、制御部２１３は、チューナ部２０１、分離部２０２、映像デコード部２０３、音声デコード部２０４に対して、選局されたチャンネルの放送データの受信処理、デコード処理を開始するよう制御する。また、簡易番組情報などの非番組画像データを生成するように制御する。これに関する一連の処理は、Ｓ３１〜Ｓ４０の処理と同じである。
【００７５】
なお、指示待ち状態（Ｓ４１）においては、電源ＯＦＦ指示など、上記以外の指示を受信する場合があるが、その場合の動作については説明を省略する。
【００７６】
次に、無線通信を行なう場合の表示装置３００の動作シーケンスを図８を用いて説明する。  Ｓ１０５の後、制御部３０９は、無線通信部３０１にて合成映像フレームデータを受信したかどうかを判定する（Ｓ１２０）。合成映像フレームデータを受信したら（Ｓ１２０；Ｙｅｓ）、制御部３０９は、受信したデータのフレームレートを認識し、無線通信部３０１からフレームバッファ３０３への書き込みレートを設定する（Ｓ１２１）。なお、フレームレートの認識方法については後述する。
【００７７】
図８の例では、まず、図６のＳ３６で送信された合成映像フレームデータを受信し、このデータのフレームレートがＲ１であるため、書き込みレートをＲ１に設定している。書き込みレートを設定することにより、設定値に合わせて、使用するフレームバッファサイズもしくは個数を変えることができ、メモリリソースを効率的に使用することができる。但し、処理を簡略化するために、Ｓ１２１における書き込みレートの設定を省略するようにしても良い。続いて、制御部３０９は、このデータを表示するよう高画質化処理部３０４及び表示部３０５を制御する（Ｓ１２２）。この時点では、簡易番組情報として、チャネル番号や番組名が表示部３０５に表示される。
【００７８】
その後、デジタル放送受信装置２００が番組映像フレームデータを含む合成映像フレームデータを送信する場合には送信フレームレートが変更されるため（図６のＳ３８、Ｓ３９）、制御部３０９は、受信したフレームレートを認識し、無線通信部３０１からフレームバッファ３０３への書き込みレートをＲ３に設定する（Ｓ１２３）。制御部３０９は、このデータを表示するよう高画質化処理部３０４及び表示部３０５を制御し（Ｓ１２４）、次の指示待ち状態となる（Ｓ１２５）。この時点では、簡易番組情報および番組映像、あるいは番組映像が表示部３０５に表示される。
【００７９】
なお、Ｓ１２１と同様に、処理を簡略化するためにＳ１２３の処理を省略するようにしても良い。また、図８の例では、図６に対応させて、Ｒ１およびＲ３を設定して映像表示を行うステップとしてＳ１２１−Ｓ１２２と、Ｓ１２３−Ｓ１２４とを別々に設けているが、これに限定するものではなく、フレームレート認識し、書き込みレートを設定するステップおよび映像表示を行うステップをそれぞれ１つずつ設け、Ｓ１２０において映像データを受信するたびにステップを繰り返し実行するようにしても良い。
【００８０】
指示待ち状態（Ｓ１２５）において、表示装置３００のリモコン受信部３０８が電子番組表の表示指示を受信すると、制御部３０９は、無線通信部３０１にて合成映像フレームデータを受信するのを待つ（Ｓ１２６）。合成映像フレームデータ（図６のＳ４６で送信したもの）を受信すると（Ｓ１２６；Ｙｅｓ）、制御部３０９は、受信したフレームレートがＲ４であることを認識し、無線通信部３０１からフレームバッファ３０３への書き込みレートをＲ４に設定する（Ｓ１２７）。なお、Ｓ１２１、Ｓ１２３と同様に、処理を簡略化するためにＳ１２７の処理を省略しても良い。
【００８１】
制御部３０９は、このデータを表示するよう高画質化処理部３０４及び表示部３０５を制御し（Ｓ１２８）、次の指示待ち状態となる（Ｓ１２５）。この時点では、電子番組表が表示部３０５に表示される。
【００８２】
一方、Ｓ１２５において、表示装置３００のリモコン受信部３０８が選局指示を受信した場合の制御部３０９の処理は、Ｓ１２０〜Ｓ１２４と同じである。
【００８３】
なお、指示待ち状態（Ｓ１２５）においては、電源ＯＦＦ指示など、上記以外の指示を受信する場合があるが、その場合の動作については説明を省略する。
【００８４】
以上説明したように、送信フレームレートを動的に変更することにより、無線リソースを節約し、消費電力を低減することができる。具体的には、高フレームレートで送信しなくても画質がほとんど低下しないような静止画像や動きの少ない動画像を伝送する時には、通常の番組映像を伝送する時よりも送信フレームレートを小さくすることで、無線通信部が送信するデータ量を低減し、消費電力を低減する。なお、その際、表示装置３００の無線通信部は、受信したフレームレートに合わせてフレームバッファ３０３に合成映像フレームデータを書き込めば良い。
【００８５】
以上、図５から図８は、具体的な場面を想定して、その場面に対応する動作シーケンスを示しているが、これに限定するものではない。例えば、図５から図８のでは、電源ＯＮ直後はチャンネル番号や番組名などの簡易番組情報を送信し、表示するとしたが、番組情報に限定するものではなく、例えば、メニュ表示を行うようにしても良い。ここでいうメニュ画面とは、例えば、「ライブ放送を見る」「録画番組を見る」「録画予約をする」「写真を上映する」「テレビの各種設定を行う」などの項目を示し、ユーザに選択するよう促す画面や、現在時刻を含む電子番組表を表示した画面などである。その場合、送信フレームレート管理テーブル２１１ｂに、メニュ情報に対応する送信フレームレートを動作モードごとに予め設定する。この際の送信フレームレートは、有線通信のデフォルト値であるＲ２未満になるように設定することが望ましい。これにより、無線通信部２０９が送信するデータ量が減らし、消費電力を低減することができる。なお、メニュ情報は静止画像もしくは動きの少ない動画像であるため、送信フレームレートを低く設定したとしても画質はほとんど低下しない。
【００８６】
図９にデータ送信とデータ表示とののタイミングを模式的に示す。なお、無線通信部２０９によるデータ送信の時間間隔は、無線通信部３０１が合成映像フレームデータを受信する時間間隔およびフレームバッファ３０３に書き込む時間間隔と同じである。また、図９の例は、Ｒ３＝Ｒ２＝表示部３０５の描画レートである場合を示している。
【００８７】
期間Ａは、図６のＳ３６において非番組画像データがクリアされ、Ｓ３８で設定された送信フレームレートＲ３で番組映像フレームデータのみが合成映像フレームデータとして送信され、Ｓ１２３およびＳ１２４により表示部３０５で表示されている状態を示している。なお、前述のように、本例では描画レートを送信フレームレートＲ３と同じレートになっている。
【００８８】
期間Ｂは、Ｓ４１およびＳ１２５において電子番組表の表示指示を受信した後に、電子番組表を表示するための非番組画像データがデジタル放送受信装置２００から送信され（Ｓ４２〜Ｓ４６）、表示装置３００において電子番組表を表示している（Ｓ１２６〜Ｓ１２８）状態を示している。無線通信部２０９は送信フレームレートＲ４で合成映像フレームデータを送信する一方、表示部３０５は、無線通信部３０１がフレームバッファ３０３に書き込むタイミングに関わらず、フレームバッファ３０３の内容を描画レートＲ３で表示する。つまり、フレームバッファ３０３の内容が更新されない場合は、同じ合成映像フレームデータを繰り返し表示する。
【００８９】
期間Ｃは、Ｓ４１において例えばユーザが電子番組表に対する選択操作やスクロール操作などを行い、電子番組表画面が更新されている状態を示している。期間Ｂと同様にＳ４２〜Ｓ４６、Ｓ１２６〜Ｓ１２８の処理に対応する。画面更新指示を受信すると、期間Ｂの送信間隔に関係なく無線通信部２０９は合成映像フレームデータを送信した後、期間Ｂと同じく、無線通信部２０９はフレームレートＲ４で合成映像フレームデータを送信し、表示部３０５はフレームバッファ３０３の内容を描画レートＲ３で表示する。
【００９０】
期間Ｄは、Ｓ４１において電子番組表の表示終了を求める指示や選局指示を受信した状態を示している（Ｓ３１〜Ｓ４０、Ｓ１２０〜Ｓ１２４）。無線通信部２０９はＳ３８で決定した送信フレームレートＲ３で合成映像フレームデータを送信し、表示部３０５は描画レートＲ３で表示する。
【００９１】
次に、表示装置３００においてフレームレートを認識するための方法例について説明する。
【００９２】
一つ目の例では、デジタル放送受信装置２００の無線通信部２０９は、読み込んだ合成映像フレームデータを送信する時に、フレーム毎にタイムスタンプを付加する処理を行う。タイムスタンプには、前のフレームとの時間差分値や、デジタル放送受信装置２００が保持する基準時刻に基づく現在時刻などを使う。表示装置３００の無線通信部３０１は、受信した複数の合成映像フレームデータのタイムスタンプの差から、受信したフレームレートを認識することができる。なお、合成映像フレームデータとは別に、デジタル放送受信装置２００が保持する基準時刻を表示装置３００に定期的に送信するようにしても良い。これにより、デジタル放送受信装置２００と表示装置３００とを時刻同期させることができる。
【００９３】
二つ目の例では、無線通信部２０９が、合成映像フレームデータの送信フレームレートを変更した時に、そのこと示す制御メッセージを無線通信部３０１に送信する。制御メッセージは、例えば、送信フレームレート変更通知であることを示すメッセージＩＤ、送信フレームレートを示す値、どのフレームから処理レートを切り替えるかを示すフレーム番号などを含むパケットとして構成される。無線通信部２０９は、本制御メッセージを送信した後に合成映像フレームデータを送信する。制御メッセージを受信した無線通信部３０１は、制御メッセージの内容が送信フレームレート変更通知であることを認識すると、同じく制御メッセージの内容から、どの合成映像フレームデータから送信フレームレートをどの値に切り替わるかが分かるので、それに応じて受信バッファサイズなどの設定値を変更したり、受信した合成映像フレームデータの出力レートを変更する。
【００９４】
なお、図８のＳ１２１やＳ１２３などにおけるフレームレートの認識を省略する場合には、受信した合成映像フレームデータに付加されたタイムスタンプに基づいた時間間隔で各フレームをフレームバッファ３０３に書き込む。また、無線通信部２０９が、読み込んだ合成映像フレームデータを送信する時に、フレーム毎に表示ホールド時間を付加する処理を行い。無線通信部３０１は、受信した合成映像フレームデータに付加された表示ホールド時間に従って、各フレームデータをフレームバッファ３０３に書き込むようにしても良い。つまり、ある合成映像フレームデータをフレームバッファ３０３に書き込んでから表示ホールド時間が経過したら、フレームバッファ３０３の内容をクリアする。表示ホールド時間が経過する前に次の合成映像フレームデータを受信した場合には、受信した合成映像フレームデータを表示する。こうすることで、表示ホールド時間が経過する前に次の合成フレームデータを受信できなかったら、通信エラーと認識して通信条件（変調方式、符号化方式、送信電力など）を変更したり、ユーザにエラーを通知したりすることができる。
【００９５】
なお、以上説明したフレームレートの認識方法や、フレームバッファへの書き込み制御方法を組み合わせて適用しても良い。
【００９６】
以上説明したように、送信フレームレートを動的に変更することにより、無線リソースを節約し、消費電力を低減することができる。具体的には、高フレームレートで送信しなくても画質がほとんど低下しないような静止画像や動きの少ない動画像を伝送する時には、通常の番組映像を伝送する時よりも送信フレームレートを小さくすることで、無線通信部が送信するデータ量を低減し、消費電力を低減することができる。
【００９７】
なお、以上の説明では、図３や図５〜図８に示すように、画像種別と動作モードに応じた送信フレームレートを予め設定し、設定された送信フレームレートを読み出してデータを伝送しているが、これに限定するものではない。デジタル放送受信装置２００がデータを送信する際に、送信する映像データの種類や動作条件によって送信フレームレートを動的に変更するものであれば、他の動作シーケンスであっても良い。例えば、送信フレームレートを予め設定するのではなく、映像デコード部２０３が出力する映像フレームデータの動き量を参照して送信フレームレートを決めるようにしても良い。
【００９８】
この場合、映像デコード部２０３は、デコードした複数の映像フレーム間の動き量を出力する機能を持つものとする。ここで言う動き量は、例えば、ＭＰＥＧ２やＨ．２６４ような動画像圧縮方式で使用される動きベクトルのことである。フレームに含まれるマクロブロックの動きベクトルの最大値または平均値などを使用すれば良い。また、単純にフレーム間のピクセル単位の差分量を動き量としても良い。
【００９９】
図１０に、送信フレームレート管理テーブル２１１ｂのデータ構造の一例を示す。この例では、省電力モードにおいて、動き量が所定の閾値Ｍ１よりも小さければ、動きの少ない映像であると判断して送信フレームを１０ｆｐｓに、動き量が所定の閾値Ｍ１よりも大きく、所定の閾値Ｍ２よりも小さければ、動きの中程度の映像であると判断して送信フレームを３０ｆｐｓに、動き量が所定の閾値Ｍ２よりも大きければ、動きの激しい映像であると判断して送信フレームを６０ｆｐｓになるように制御する。
【０１００】
これにより、映像データの実際の動きの程度に応じて動的に送信フレームレートを変えることができるため、動きの小さい映像を表示する際にユーザに与える違和感を最小限に留めつつ、消費電力を低減することができる。
【０１０１】
また、さらに消費電力を低減するためには、動的に変更される送信フレームレートに合わせて、無線通信部を間欠的に動作させることが望ましい。
【０１０２】
図１１に、デジタル放送受信装置２００及び表示装置３００の動作シーケンスの一例を示す。なお、図１１は、見易さのために、図５〜図８の動作シーケンス図の一部を省略して記載している。
【０１０３】
デジタル放送受信装置２００は、電源ＯＮ指示を受信すると、チューナ部２０１などを起動した後、非番組映像データを生成し、送信フレームレートＲ１で表示装置３００に送信する（Ｓ３１、Ｓ３４、Ｓ３６）。その後、無線通信部２０９はレートＲ１に合わせて間欠動作を行う（Ｓ６０）。ここでいう間欠動作とは、無線通信部２０９の送信部や受信部などの一部の回路への電源供給を停止または低減する動作（省電力動作）と、再び通常通りに電源を供給する動作（通常動作）とを、所定の時間間隔で繰り返す動作のことである。デジタル放送受信装置２００と表示装置３００との間の通信として、例えばＵＤＰ（User Datagram Protocol）やＲＴＰ（User Datagram Protocol）などを使った一方向通信を用いる場合には、デジタル放送受信装置２００は表示装置３００からデータを受信することを考慮する必要がないため、合成映像フレームデータを送信後、次の送信タイミングまで送信回路、受信回路ともに省電力動作を行っても問題にならない。
【０１０４】
その後、映像デコード部２０３から番組映像フレームデータが出力されると（Ｓ３７）、無線通信部２０９は間欠動作を解除し、通常動作に戻る（Ｓ６１）。そして、送信フレームレートＲ３で表示装置３００への送信を開始し（Ｓ３８、Ｓ３９）、無線通信部２０９はレートＲ３に合わせて間欠動作を行う（Ｓ６２）。
【０１０５】
一方、表示装置３００は、電源ＯＮ指示を受信してから番組映像を含む合成映像フレームデータを受信するまでは、無線通信部３０１は通常動作する。これは、この期間に間欠動作を行うと、ユーザが早急に番組映像の表示を望んでいるにも関わらず、表示装置３００が番組映像を受信できず、番組映像の表示が遅れる可能性があるからである。
【０１０６】
合成映像フレームデータを受信すると、受信したデータのフレームレートを認識し、無線通信部３０２はフレームレートに合わせて間欠動作を行う。図１１の例では、番組映像を受信した際に、フレームレートがＲ３であることを認識し（Ｓ１２３）、無線通信部３０２がレートＲ３に合わせて間欠動作を行う（Ｓ１４０）場合を示している。これにより、受信回路などへ供給する電源を停止または低減し、消費電流を節約することができる。
【０１０７】
なお、図１１の例では、電源ＯＮ指示を受信してからＳ１２３において番組映像フレームデータを含む合成映像フレームデータを受信するまでは、無線通信部３０１は通常動作するとしたが、あらかじめ、デジタル放送受信装置２００の映像デコード部２０３を起動してから番組映像フレームデータが出力されるまでの時間の平均値を表示装置３００に記憶させておき、非番組画像データを受信（Ｓ１２０）してから番組映像フレームレートを受信すると予想される時間までは、無線通信部３０１を停止あるいは間欠動作を行うようにしても良い。これにより、さらに消費電流を節約することができる。
【０１０８】
その後、電子番組表の表示指示を受信すると、デジタル放送受信装置２００は間欠動作を解除し（Ｓ６３）、送信フレームレートＲ４で電子番組表画面を表示するために非番組画像データを送信する（Ｓ４４、Ｓ４６）。その後、無線通信部２０９はレートＲ４に合わせて間欠動作を行う（Ｓ６４）。
【０１０９】
一方、表示装置３００は、電子番組表の表示指示を受信すると、間欠動作を解除する（Ｓ１４１）。非番組画像データを受信すると、受信フレームレートがＲ４であることを認識し（Ｓ１２７）、無線通信部３０２はレートＲ４に合わせて間欠動作を行う（Ｓ１４２）。電子番組表の表示指示をトリガとして間欠動作を解除することで、動的に送信フレームレートが変更する場合でも、適切な間欠動作を行うことができる。このように制御することにより、表示装置３００の次の間欠動作タイミングまで新たなデータを受信できずに応答性が悪くなるといった問題を防止することができる。
【０１１０】
なお、電子番組表の更新指示を受信した場合には、電子番組表の表示指示を受信した場合と同様に処理を行う。即ち、電子番組表の更新指示をトリガとして一旦間欠動作を解除することで、表示装置３００の次の間欠動作タイミングまで待ってからデジタル放送受信装置２００が非番組映像を送信する必要があるので応答性が劣化する、もしくは、デジタル放送受信装置２００が送信する非番組映像を表示装置３００が受信できないという問題を回避することができる。
【０１１１】
続いて、電子番組表の表示終了指示を受信した場合は、デジタル放送受信装置２００、表示装置３００ともに一旦間欠動作を解除した（Ｓ６５、Ｓ１４３）後、処理Ａを行うことで、動的に送信フレームレートが変更する場合でも、適切な間欠動作を行うことができる。このように制御することにより、表示装置３００の次の間欠動作タイミングまで待ってからデジタル放送受信装置２００が非番組映像を送信することにより、応答性が劣化する、もしくは、デジタル放送受信装置２００が送信する非番組映像を表示装置３００が受信できないという問題を防止することができる。
【０１１２】
以上のようにして、動的に変更される送信フレームレートに合わせて、無線通信部を間欠的に動作させることで消費電力を低減することができる。
【０１１３】
以上説明したデジタルテレビジョンシステムでは、図２や図４に示すように、無線通信部と有線通信部の両方を備えるため、有線通信を行う既存の装置との間でもデータ伝送を行うことができる。また、デジタル放送受信装置２００及び表示装置３００においても、有線通信を行うための機能については、従来の構成や部品を継続利用することができ、開発コストを低減することができる。但し、有線通信および無線通信の両方を備えるものに限定するものではなく、無線通信のみを備えている場合に適用しても良い。この場合、図５のＳ１１の後にＳ１４に移行させてＳ１２〜Ｓ２３を省略し、図７のＳ１０２の後にＳ１０５に移行させてＳ１０３〜Ｓ１１０を省略する。また、図２及び図４の例では、無線通信部および有線通信部ともに装置内部に設けられているが、例えば無線通信を行う構成を、別装置として外付けして用いるようにしても良い。
【０１１４】
また、以上の例では、デジタルテレビジョンシステムについて説明したが、これに限定するものではない。デジタル放送を受信する装置に限らず、データ送信装置と、表示装置などのデータ出力装置との間でデータ伝送を行うデータ伝送システムに本発明を適用することができる。例えば、データ送信装置は、ＤＶＤやＢＤなどの外部メディアやＨＤＤなどの内部メディアから読み出したデータや、通信によって取得したデータを、データ出力装置に伝送する場合に本発明を適用しても良い。この場合、チューナ部２０１の代わりにあるいはチューナ部２０１に加えて、メディア読み出し処理部や、通信処理部が必要となる。なお、メディアから読み出したデータを伝送する場合には、電子番組表や簡易番組情報などの代わりに、メディアに記憶されたコンテンツリストをメディアから取得し、データ出力装置に伝送する。また、通信により取得したデータを伝送する際には、電子番組表などの情報は通信処理部により取得する。なお、これに限定するものではなく、例えば放送により受信した番組映像を送信する際に、通信により受信した電子番組表データを用いるようにしても良い。
【０１１５】
また、伝送するデータは、映像データに限らず、音声データやその他のデータを伝送する際にも、そのデータの種類や動作条件に応じて伝送レートを変更することにより、送信するデータ量を低減し、消費電力を抑制することができる。例えば、デコード部の消費電力がｍＷ単位であるのに対して、通信部の消費電力はＷ単位であり、データ送信装置においてデータをデコードする際に間引く場合に比べて、本発明のように通信部から送信する際に間引くほうが効率的に消費電力を低減することができる。ただし、更なる消費電力低減のため、データ送信装置のデコード部で間引いた上で、伝送レートを低減するようにしても良い。
【図面の簡単な説明】
【０１１６】
【図１】テレビジョンシステムの構成例を示す図。
【図２】デジタル放送受信装置の構成例を示す図。
【図３】送信フレームレート管理テーブルのデータ構造例を示す図。
【図４】表示装置の構成例を示す図。
【図５】デジタル放送受信装置の動作シーケンス例を示す図。
【図６】デジタル放送受信装置の動作シーケンス例を示す図。
【図７】表示装置の動作シーケンス例を示す図。
【図８】表示装置の動作シーケンス例を示す図。
【図９】データ送信とデータ表示とのタイミングを模式的に示す図。
【図１０】送信フレームレート管理テーブルのデータ構造例を示す図。
【図１１】デジタル放送受信装置及び表示装置の動作シーケンス例を示す図。
【符号の説明】
【０１１７】
１００…放送局、２００…デジタル放送受信装置、３００…表示装置、４００…リモコン、２０１…チューナ部、２０２…分離部、２０３…映像デコード部、２０４…音声デコード部、２０５…非番組画像生成部、２０６…非番組画像バッファ、２０７…画面合成部、２０８…フレームバッファ、２０９…無線通信部、２１０…有線通信部、２１１…記憶部、２１２…リモコン受信部、２１３…制御部、３０１…無線通信部、３０２…有線通信部、３０３…フレームバッファ、３０４…高画質化処理部、３０５…表示部、３０６…音声出力部、３０７…記憶部、３０８…リモコン受信部、３０９…制御部、３１０…非番組画像生成部、３１１…非番組画像バッファ、３１２…画面合成部、３１３…フレームバッファ
【図１】
2010171670.tif 000003
【図２】
2010171670.tif 000004
【図３】
2010171670.tif 000005
【図４】
2010171670.tif 000006
【図５】
2010171670.tif 000007
【図６】
2010171670.tif 000008
【図７】
2010171670.tif 000009
【図８】
2010171670.tif 000010
【図９】
2010171670.tif 000011
【図１０】
2010171670.tif 000012
【図１１】
2010171670.tif 000013